(57)【要約】【課題】幾種類もの形態で存在する焼き付け枚数記入欄付きインデックスプリントを用いて、簡単に焼き増しプリント処理が行われる焼き増しプリント処理システムを提供する。【解決手段】複数の撮影コマ画像領域と各撮影コマ画像に対応する焼き増し枚数記入領域とを種々のレイアウトで配置しているインデックスプリント(PX)のレイアウトタイプを入力する操作入力部(24)と、レイアウトタイプによって規定される読み取りパターンに基づいてインデックスプリントのスキャニング画像から撮影コマ画像のコマ番号にリンクされた焼き増し枚数を読み取る読み取り認識部(35)と、入力されたコマ画像データと焼き増し枚数をリンクした焼き増し情報を作成する焼き増し情報管理部(36)とが備えられた焼き増しプリント処理システム。【選択図】図８
2005025125.tif 000002
【特許請求の範囲】
【請求項１】
複数の撮影コマ画像領域と各撮影コマ画像に対応する焼き増し枚数記入領域とを種々のレイアウトで配置しているインデックスプリントの前記レイアウトを識別するレイアウトタイプを入力する操作入力部と、前記レイアウトタイプによって規定される読み取りパターンに基づいて前記インデックスプリントのスキャニング画像から前記撮影コマ画像のコマ番号にリンクされた焼き増し枚数を読み取る読み取り認識部と、前記撮影コマ画像のプリント画像ソースからコマ画像データを入力する画像入力部と、前記画像入力部から入力されたコマ画像データと前記焼き増し枚数をリンクした焼き増し情報を作成する焼き増し情報管理部と、前記焼き増し情報に基づいて焼き増しプリントを出力するプリント装置からなる焼き増しプリント処理システム。
【請求項２】
前記読み取りパターンは前記レイアウトが異なるインデックスプリントにおいて必要な読み取りエリア以外をマスクするマスクデータであり、読み取りパターンテーブルに検索抽出可能に格納されていることを特徴とする請求項１に記載の焼き増しプリント処理システム。
【請求項３】
前記読み取りパターンは前記レイアウトが異なるインデックスプリント毎の基準点からの各撮影コマ画像のための焼き増し枚数記入領域の位置を記述しており、読み取りパターンテーブルに検索抽出可能に格納されていることを特徴とする請求項１に記載の焼き増しプリント処理システム。
【請求項４】
前記インデックスプリントには撮影画像プリント時に施された色補正情報を記録した色補正情報記録領域が設けられ、前記読み取りパターンには前記色補正情報記録領域から各撮影コマ画像のための色補正情報記録を読み取るための領域情報が含まれており、前記焼き増し情報には前記色補正情報も含まれることを特徴とする請求項１〜３のいずれかに記載の焼き増しプリント処理システム。
【請求項５】
前記焼き増し情報管理部で作成された焼き増し情報を操作入力部からの入力指令に基づいて修正するための操作画面をモニタに表示させる操作画面生成部が備えられていることを特徴とする請求項１〜４のいずれかに記載の焼き増しプリント処理システム。
【発明の詳細な説明】
【技術分野】
【０００１】
本発明は、撮影画像ソースから撮影画像を写真プリントとして再度プリントする焼き増しプリント処理システムに関する。
【背景技術】
【０００２】
従来の焼き増しプリントでは、依頼者が焼き増し注文票に撮影画像を特定するコマ番号毎に焼き増し枚数を記入してＤＰショップに提出すると、オペレータが各画像コマ毎に焼き増し枚数を写真プリント装置に入力し、焼き増しプリントが作製された。このような焼き増しプリントの処理手順では、特に焼き増し枚数の入力操作に時間がかかって作業効率が悪かった。さらに、依頼者が注文票に焼き増し枚数を記入する際撮影画像と焼き増し枚数の関係を間違えてしまうという問題も頻繁に生じていた。
【０００３】
そのような問題点を解決するために、各画像コマごとに焼き増し枚数記入欄が付いたインデックスプリントを作成し、写真を焼き増しする場合、焼き増し依頼者はインデックスプリントの焼き増し枚数記入欄に焼き増し枚数を記入してＤＰショップに提出すると、このインデックスプリントを通じて、前記焼き増し枚数記入欄に記載された焼き増し枚数を画像読み込み手段に読み込ませ、この画像読み込み手段からの焼き増し枚数情報を解析部が解析し、その焼き増し枚数情報通りに焼き増しプリントを出力する写真プリント装置が提案されている（例えば、特許文献１参照。）。
【０００４】
また、インデックスプリントの表面に撮影画像とともに注文枚数記入欄を設けるとともに、その裏面にそのインデックスプリントの作製時に用いられた画像処理条件を表すバーコードを記録し、焼き増しプリント時に、そのインデックスプリントを通じて焼き増し注文枚数と画像処理条件を入手する写真プリント装置も提案されている（例えば、特許文献２参照。）。
【０００５】
【特許文献１】特開２００２−１３１８５０ 号公報（段落番号０００９−００１１頁、第５図）
【０００６】
【特許文献２】特開２００１−２３５８０２ 号公報（段落番号００４０、０６４−００６６頁、第５図）
【発明の開示】
【発明が解決しようとする課題】
【０００７】
インデックスプリントを注文票として兼用することで、注文すべき撮影画像コマと焼き増し枚数との関係が間違えにくくなるとともに、特許文献１で明示されているように焼き増し枚数をスキャナで読み取ってその数をコンピュータによって解析するので、焼き増し枚数を手入力する場合に比べると、オペレータの負担は大幅に軽減されることになると思われたが、インデックスプリントの形態は統一されているわけではなく、幾種類も存在するので、その焼き増し枚数記入領域をオペレータが指定しないと、焼き増し枚数を撮影画像を特定するコマ番号と関係付けられた形で認識することは不可能であった。
【０００８】
上記実状に鑑み、本発明の課題は、幾種類もの形態で存在する焼き付け枚数記入欄付きインデックスプリントに対しても、オペレータに負担をかけずに、自動的に焼き増し枚数を撮影画像を特定するコマ番号と関係付けられた形で認識して、焼き増しプリントを出力する焼き増しプリント処理システムを提供することである。
【課題を解決するための手段】
【０００９】
上記課題を解決するため、本発明による焼き増しプリント処理システムは、複数の撮影コマ画像領域と各撮影コマ画像に対応する焼き増し枚数記入領域とを種々のレイアウトで配置しているインデックスプリントの前記レイアウトを識別するレイアウトタイプを入力する操作入力部と、前記レイアウトタイプによって規定される読み取りパターンに基づいて前記インデックスプリントのスキャニング画像から前記撮影コマ画像のコマ番号にリンクされた焼き増し枚数を読み取る読み取り認識部と、前記撮影コマ画像のプリント画像ソースからコマ画像データを入力する画像入力部と、前記画像入力部から入力されたコマ画像データと前記焼き増し枚数をリンクした焼き増し情報を作成する焼き増し情報管理部と、前記焼き増し情報に基づいて焼き増しプリントを出力するプリント装置から構成されている。
【００１０】
この構成によれば、焼き増し枚数が記入されたインデックスプリントから焼き増し枚数を読み取る際に、まず処理対象となるインデックスプリントのレイアウトタイプを入力し、このレイアウトタイプによって規定される読み取りパターンに基づいて、つまりスキャニング画像のどのエリアに認識しなければならない焼き増し枚数が存在しているかという情報を受けて、前記インデックスプリントのスキャニング画像から前記撮影コマ画像のコマ番号にリンクされた焼き増し枚数を読み取るので、その認識は自動処理されるにもかかわらず迅速かつ正確なものとなる。このように認識された撮影コマ画像のコマ番号と焼き増し枚数はさらに画像入力部から入力されたコマ画像データとリンクされ、注文通りの撮影コマ画像の写真プリントが注文通りの枚数で出力される。
【００１１】
前記読み取りパターンの好適な実施形態の１つは、レイアウトが異なるインデックスプリントにおいて必要な読み取りエリア以外をマスクするマスクデータであり、スキャニング画像にこのマスクデータをかぶせることにより認識しなければならないデータが存在するエリアだけを撮影コマ画像単位の認識対象領域として把握させることができる。このようなマスクデータは異なるレイアウトを有するインデックスプリント毎に用意され、読み取りパターンテーブルといったメモリに検索抽出可能に格納されるとメンテナンスも容易で都合がよい。
【００１２】
前記読み取りパターンの好適な実施形態の他の１つは、レイアウトが異なるインデックスプリント毎の基準点からの各撮影コマ画像のための焼き増し枚数記入領域の位置を記述したファイルであり、これにより、認識しなければならないデータが存在するエリアだけを撮影コマ画像単位の認識対象領域として設定することができる。このような記述ファイルも異なるレイアウトを有するインデックスプリント毎に用意され、読み取りパターンテーブルといったメモリに検索抽出可能に格納されるとメンテナンスも容易で都合がよい。
【００１３】
本発明の好適な実施形態では、前記インデックスプリントには撮影画像プリント時に施された色補正情報を記録した色補正情報記録領域が設けられ、前記読み取りパターンには前記色補正情報記録領域から各撮影コマ画像のための色補正情報記録を読み取るための領域情報が含まれており、前記焼き増し情報には前記色補正情報も含まれる。この構成により、焼き増しプリントにおいても先のプリントの画像と色や濃度が同様な画像を確実にかつ迅速に再現することが可能となる。
【００１４】
さらに、前記焼き増し情報管理部で作成された焼き増し情報を操作入力部からの入力指令に基づいて修正するための操作画面をモニタに表示させる操作画面生成部が備えられているならば、焼き増し枚数や色補正情報を該当する撮影画像コマとともに表示し、必要な場合それらの値を変更することができる。このような操作画面は、ミニラボと通称される写真プリント装置では、プレジャッジプリント（ＰＪＰ）画面として知られており、同時プリント時にオペレータがプリント枚数や色補正値を設定するために利用されるが、本発明では焼き増しプリント時にそのような操作画面に今回の焼き増しプリント枚数や前回の色補正値が表示されるので、焼き増しプリント作業が特別な作業ではなく、通常行われている同時プリント作業のような間隔で簡単に行うことができる。
【発明の効果】
【００１５】
幾種類もの形態で存在する焼き付け枚数記入欄付きインデックスプリントに対しても、読み込みパターンを通じて焼き増し注文に必要な情報を認識する領域を設定することで、自動的に焼き増し枚数と撮影画像を特定するコマ番号とが関係付けられ、操作画面上で表示されるので、オペレータは、負担なしに、焼き増し枚数を撮影画像を特定するコマ番号と関係付けられた形で認識しながら、焼き増しプリント処理を実施することができる。
本発明によるその他の特徴及び利点は、以下図面を用いた実施形態の説明により明らかになるだろう。
【発明を実施するための最良の形態】
【００１６】
図１は本発明による焼き増しプリント処理システムを採用した写真プリント装置を示す外観図であり、この写真プリント装置は、印画紙Ｐに対して露光処理と現像処理とを行う写真プリンタとしてのプリントステーション１Ｂと、現像済み写真フィルム２ａやデジタルカメラ用メモリカード２ｂやハードディスク２ｃなどから取り込んだ撮影画像データを処理してプリントステーション１Ｂで使用されるプリントデータの生成・転送などを行う操作ステーション１Ａとから構成されている。
【００１７】
この写真プリント装置はデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＰは、このソータ１７の複数のトレイ１７ａにオーダ単位で仕分けられた状態で集積される（図１参照）。なお、後で詳しく説明される複数の縮小された撮影コマ画像を一覧化したインデックスプリントＰＸも写真プリントＰと同様に適切にカットされた印画紙Ｐに露光部１４で露光された後処理槽ユニット１５で現像処理されることで横送りコンベア１６に出力され、トレイ１７ａに写真プリントＰとともに集積される。
【００１８】
上述した印画紙Ｐに対する各種処理に合わせた搬送速度で印画紙Ｐを搬送するために印画紙搬送機構１８が敷設されている。印画紙搬送機構１８は、印画紙搬送方向に関して露光部１４の前後に配置されたチャッカー式印画紙搬送ユニット１８ａを含む複数の挟持搬送ローラ対から構成されている。
【００１９】
露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００２０】
前記操作ステーション１Ａのデスク状コンソールの上部位置には、写真フィルム２ａの撮影画像コマから撮影画像データを取得するフィルムスキャナ２０と、デジタルカメラ等に装着される画像記録媒体２ｂとして用いられている各種半導体メモリやＣＤ−Ｒなどから撮影画像データを取得するメディアリーダ２１と、フィルムスキャナ２０やメディアリーダ２１を通じて一旦取り込まれた撮影画像データを保管しているハードディスク２２などが配置されるが、この実施形態では、メディアリーダ２１とハードディスク２２は、この写真プリント装置のコントローラ３として機能する汎用パソコンに組み込まれている。フィルムスキャナ２０とメディアリーダ２１とハードディスク２２は、ネットワークを通じて伝送されてきた画像データを受信する通信部とともにこの写真プリント装置の画像入力部を構成している。この汎用パソコンには、さらに各種情報を表示するモニタ２３、各種設定や調整を行う際に用いる操作入力部として利用されるキーボード２４やマウス２５、さらにフラットベッドスキャナ２６なども接続されている。
【００２１】
インデックスプリントＰＸは、図３に示すように、撮影コマ画像領域９１の大きさや数やレイアウトなどが異なる複数の種類に分けられる。図３（イ）に示されたものでは、撮影コマ画像領域９１が横列で５つ、縦列で５つ設定されており、各撮影コマ画像領域９１の下側にコマ番号を付した焼き増し枚数記入領域９２が配置され、さらにインデックスプリントＰＸの下端部にＤＰショップの店名・ロゴに並んでこのインデックスプリントＰＸに示された撮影コマ画像を特定するコマ画像ソースＩＤのための領域９０も用意されている。図３（ロ）に示されたものでは、撮影コマ画像領域９１が横列で７つ、縦列で４つ設定されており、ここでも各撮影コマ画像領域９１の下側にコマ番号を付した焼き増し枚数記入領域９２が配置され、インデックスプリントＰＸの下端部にＤＰショップの店名・ロゴに並んでこのインデックスプリントＰＸに示された撮影コマ画像を特定するコマ画像ソースＩＤのための領域９０も用意されている。このように、インデックスプリントＰＸのタイプによってレイアウトが異なるが、インデックスプリントＰＸのレイアウトタイプさえ特定すれば、インデックスプリントＰＸにおける撮影コマ画像領域９１や焼き増し枚数記入領域９２やコマ画像ソースＩＤ領域９０の位置は一義的に決定されるので、それらの領域に記録された数字や記号などを例えばＯＣＲ機能やマークシート認識機能などで読み取ることは容易となる。
【００２２】
コントローラ３は、ＣＰＵを中核部材として、入力されたデータに対して種々の処理を行うための機能部がハードウエア又はソフトウエア或いはその両方で実装されているが、本発明に特に関係する機能部として、図４に示されているように、フィルムスキャナ２０やメディアリーダ２１やハードディスク２２などである画像入力部から転送されてきた撮影コマ画像の画像データを各種処理のために一時的に格納するワーキングメモリ３０、入力された撮影コマ画像データからプレジャッジ用画像データを含むプレジャッジプリント画面（以後単にＰＪＰ画面と称する）を生成するＰＪＰ画面生成機能を含む各種操作画面を生成する操作画面生成部３１、操作画面を構成する各種画像データやその他の表示アイテムの画像データをビデオメモリに取り込むとともにこのビデオメモリに展開されたイメージをビデオコントローラによってビデオ信号に変換してモニタ２３に送るビデオ制御部３２、ワーキングメモリ３０に展開されている画像データに対して色調補正やフィルタリング（ぼかしやシャープネスなど）やトリミングなどの各種画像処理を施す画像処理部３３、プレジャッジ作業等で指定された色補正やプリント枚数などのコマンドに基づいて画像処理部３３で処理された最終的な画像データ等をプリント用画像データとしてプリントステーション１Ｂの露光部１４に転送させるプリント管理部３４、焼き増しコマ番号や焼き増し枚数などの焼き増し注文情報を入力するための注文情報入力部として機能するフラットベッドスキャナ２６の読み取り信号から焼き増しコマ番号や焼き増し枚数を表す文字やコードを取得する読み取り認識部３５、読み取り認識部３５によって取得された注文情報に基づいて焼き増しプリントに関するコマンドを生成・管理する焼き増し情報管理部３６が挙げられる。
【００２３】
なお、プリント管理部３４は、ワーキングメモリ３０に展開されている１オーダ分の撮影コマ画像データを利用して指定されたタイプのインデックスプリントＰＸを作製するためのインデックスプリントデータを生成することを画像処理部３３に命じる機能も有する。
【００２４】
読み取り認識部３５では、図３で示したようなインデックスプリントＰＸが焼き増し注文票として利用され、その撮影コマ画像領域９１や焼き増し枚数記入領域９２に記入された内容をＯＣＲ処理によって読み取る形態ではＯＣＲ機能が実装されるし、マークシート方式で記入された内容をマークシート解析処理によって読み取る形態ではマークシート解析機能が実装される。もちろん、必要な場合両方の機能やその他の認識機能が実装されてもよい。このような読み取り認識を容易にするため、読み取り認識部３５には、各タイプのインデックスプリントＰＸにおける撮影コマ画像領域９１や焼き増し枚数記入領域９２を規定している読み取りパターンを格納している読み取りパターンテーブル３７が付随している。
【００２５】
読み取りパターンの一例は、図５に示すように、特定のレイアウトをもつインデックスプリントＰＸにおける読み取る必要のあるエリア以外をマスクするとともにマスク外のエリアにはその読取属性値（コマ番号やコマ番号ソースＩＤなど）が設定されたマスクデータであり、このようなマスクデータをフラットベットスキャナ２６で読み取られた読み取りデータに重ね合わせることでＯＣＲ処理ないしはマークシート解析処理しなければならない領域だけが選択できるとともに各領域に割り当てられているコマ番号といった項目内容との関連付けも可能となる。種々のレイアウトをもったインデックスプリントＰＸが存在していても、焼き増し注文票として用いられているインデックスプリントＰＸのタイプに応じたマスクデータを読み出して使用するだけで、確実に焼き増し注文情報を取得することができる。読み取りパターンの他の例として、インデックスプリントＰＸ毎の基準点（例えば左上コーナ部）からの各撮影コマ画像のための焼き増し枚数記入領域の位置などの読み取る必要のあるエリアを規定できる座標値を記述したスクリプトデータも提案される。
【００２６】
焼き増し情報管理部３６は、読み取り認識部３５によって取得された焼き増しプリント枚数を前述した読み取りパターンデータを利用してコマ番号とリンクするコマ番号−焼き増し枚数リンク部３６ａを備えている。さらに、インデックスプリントＰＸに一覧表示された撮影コマ画像の画像データが、内蔵しているハードディスク２２やネットワークを通じてアクセス可能な画像サーバに格納されている場合、インデックスプリントＰＸのコマ画像ソースＩＤ領域９０から読み出された、該当画像データを特定するためのロケーションコードなどのアドレスデータであるコマ画像ソースＩＤに利用して、該当画像データを取り込む画像データ取り込み部３６ｂも備えられる。
【００２７】
図６に示されたインデックスプリントＰＸには撮影コマ画像を一覧化して表示している撮影コマ画像表示領域９１と区分けされた下部にコマ番号単位で区画された焼き増し枚数記入領域９２とプリント時に画像データに施された色補正情報を記録している色補正情報記録領域９３が配列されている。さらに最下部にはコマ画像ソースＩＤ領域９０も配置されている。このような色補正情報を記録した色補正情報記録領域９３が追加的に設けられているインデックスプリントＰＸを焼き増し注文票として利用できるシステムを採用している場合には、その読み取りパターンは色補正情報記録領域９３の位置をも規定できるものとし、焼き増し情報管理部３６には、読み取り認識部３５によって取得された色補正情報をコマ番号とリンクするコマ番号−色補正情報リンク部３６ｃが備えられることになる。
【００２８】
まず、この写真プリント装置による同時プリント処理の典型例を説明する。
処理対象となる撮影画像ソースは現像済みの１３５写真フィルム２ａとすると、操作画面生成部３１によって利用され、図７で示すようなＰＪＰ画面がモニタ２３に表示される。このＰＪＰ画面では、６つの撮影コマ画像のためのシミュレート画像７０が表示されており、夫々のシミュレート画像７０の上側の枠領域７１には対応コマ画像を特定するコマ番号を示す数字が表示され、下側の補正情報枠７２にはイエローに対応して「Ｙ」、マゼンタに対応して「Ｍ」、シアンに対応して「Ｃ」の文字、及び、濃度補正情報を示すよう「Ｄ」の文字が表示され、又、この下側のプリント枚数枠７３にはプリント枚数を示す数値が表示されている。このように複数のシミュレート画像７０が表示される場合これらのシミュレート画像７０のうちの１つの周囲を取り囲む選択枠７４に目につきやすい色相を与えることで、そのシミュレート画像が選択状態にあることを明示している。モニタ画面の下辺領域にはオーダ番号と画像メディアの種別を示す枠７５が表示されている。
【００２９】
モニタ２３にシミュレート画像７０が表示された状態で、例えば、キーボード２４に設定された操作キーとしてのイエローキーを操作した場合には、選択状態のシミュレート画像７０に対応する補正情報枠７２の「Ｙ」の文字を強調する表示や、文字を反転させる表示や、ブリンクさせる表示を行うことでイエロー成分を補正対象に選択していることをオペレータに認識させ、この状態でプラスキーを押し操作した場合には、押し操作した回数だけイエローの成分を段階的に増大させる画像処理が行われ、同様にマイナスキーを押し操作した場合には、押し操作した回数だけイエローの成分を段階的に減少させる処理が行われ、ニュートラルキーを押し操作した場合には補正前の状態に戻す処理が行われる。
【００３０】
プリント枚数枠７３には、通常自動的に「１」が設定されているが、プリント不可の撮影コマ画像に対しては、非プリントを割り当てられたキーボード２４の操作キーを操作することで、そのプリント枚数枠７３に非プリントを示す「pass」という文字が設定される。
【００３１】
全てのコマ画像に対する、つまりオーダ単位でのプレジャッジ作業が完了すると、写真プリント工程が開始されるが、その際、所定タイプのインデックスプリントＰＸを作製するためのインデックスプリントデータもシミュレート画像データを使って作成され、写真プリントＰとともに出力される。
【００３２】
写真プリントＰとインデックスプリントＰＸとネガフィルム２ａを受け取った顧客は、後日焼き増しプリントを希望する場合、焼き増し希望のコマ番号をもつ焼き増し枚数記入領域９２に焼き増し枚数を記入したインデックスプリントＰＸと画像ソースとしてのネガフィルム２ａをＤＰショップに提出するだけでよい。なお、最初のプリントの際に画像データをＣＤ−Ｒ等の記録媒体に記録している場合はネガフィルム２ａに代えて該当ＣＤ−Ｒを提出することができる。さらに、最初のプリント時にプリントに使用した画像データを一時的にＤＰショップのハードディスク２２や外部の画像サーバに格納して預けている場合は、その格納場所を規定するコマ画像ソースＩＤがインデックスプリントＰＸのコマ画像ソースＩＤ領域９０に記録されているので、焼き増し枚数を記入したインデックスプリントＰＸのみを提出するだけでよい。
【００３３】
顧客から焼き増し枚数を記入したインデックスプリントＰＸと画像ソースを受け取ったＤＰショップにおいて実行される焼き増しプリント処理の典型例を図８を用いて説明する。ここでは、画像ソースとして画像記録媒体２ｂであるＣＤ−Ｒが提出されたとする。
【００３４】
まず、受け取ったインデックスプリントＰＸをフラットベットスキャナ２６に載置するとともに、このインデックスプリントＰＸのレイアウトタイプをキーボード２４又はマウス２５を用いて入力する。読み取り認識部３５は、入力されたレイアウトタイプに基づいて決定される読み取りパターンを読み取りパターンテーブル３７から読み出し、これによってコマ番号毎の認識領域を設定し、フラットベットスキャナ２６から送り込まれてくるスキャニングデータに対して文字認識を行う。コマ番号毎の文字認識、つまり焼き増し枚数が認識されると、コマ番号−焼き増し枚数リンク部３６ａが記入されていた焼き増し枚数とコマ番号をリンクする。さらに、メディアリーダ２１に挿入されたＣＤ−Ｒから読み込まれた各撮影コマ画像の画像データはコマ番号にリンクされた形でワーキングメモリ３０に転送されている。つまり、図９で模式的に示すように、焼き増しすべきコマ番号とその焼き増し枚数及びコマ番号とその画像データがリンクされているので、結果的に焼き増しすべきコマ番号とその焼き増し枚数とその画像コマがリンクされることになり、焼き増しプリントの準備が整うことになる。
【００３５】
この段階でモニタ２３には図１０に示す焼き増しプリント初期画面が表示され、特にその右下側の大きな領域に、コマ番号で区画された枠が配列されており、その枠内にコマ番号と焼き増し枚数が表示されている。これにより、オペレータは焼き増しすべきコマ番号と焼き増し枚数を確認することができる。焼き増し枚数は数字で表示されているが、焼き増し対象に成っていないコマ番号の枠には「pass」という文字が表示されている。この画面ではコマ画像は表示されていないが、各枠にサムネイル画像を表示してもよい。もし必要な場合、この画面においてオペレータがこの焼き増しプリントの注文票となっているインデックスプリントＰＸを見ながら焼き増し枚数をチェックし、焼き増し枚数の修正等を行うことができる。この焼き増しプリント初期画面からすぐに焼き増しプリントを実行することは可能であり、その場合焼き増しすべきコマ番号にリンクされた画像データが画像処理部３３にてプリントデータに変換されてその焼き増し枚数とともにプリントステーション１Ｂに送られる。
【００３６】
焼き増しプリントにおいてもプリジャッジプリントを行う場合は、プリジャッジプリントボタンを操作することで、この焼き増しプリント初期画面から、図７で示されたＰＪＰ画面に移行する。焼き増しプリントのＰＪＰ画面では、焼き増しプリント初期画面において焼き増し対象となったコマ画像だけがプリント状態を疑似表示しているシミュレート画像７０の形態で表示され、そのプリント枚数枠７３には焼き増し枚数が表示される。このＰＪＰ画面を通じて焼き増し対象となっている撮影コマ画像の個別的なマニュアル色補正が可能となる。
【００３７】
なお、焼き増しプリントの注文票となっているインデックスプリントＰＸが図６で示されたような色補正情報をも記録したタイプのものである場合、焼き増し枚数と同様に読み取り認識部３５によって認識された色補正情報はコマ番号−色補正情報リンク部３６ｃによって対応するコマ番号とリンクされているので、焼き増しプリントのＰＪＰ画面において各コマ番号に対応する補正情報枠７２にはその色補正情報に基づく設定が施されている。これによりオペレータは前回のプリント時での色補正情報を容易に理解することができる。
【００３８】
全ての焼き増し対象コマ画像に対するプレジャッジ作業が完了すると、プリント管理部３４が操作画面を通じて指定された色補正やプリント枚数などのコマンドを作成し、画像処理部３３で処理された最終的な画像データをプリント用画像データとしてプリントステーション１Ｂの露光部１４に転送させ、焼き増しプリントＰを作製する。その際、所定タイプのインデックスプリントＰＸを作製するためのインデックスプリントデータも作成されるが、次回の焼き増しプリント注文に備えてこのインデックスプリントＰＸには今回焼き増しプリントの対象とはならなかった撮影コマ画像も含ませると好都合である。
【００３９】
この焼き増しプリント処理では、画像ソースとして記録媒体（ＣＤ−Ｒ）２ｂが用いられたが、画像ソースがネガフィルム（ピースネガ）２ａの場合フィルムスキャナ２０を通じて撮影コマ画像がワーキングメモリ２０に転送されるし、画像ソースがハードディスク２ｃに格納された画像データである場合インデックスプリントＰＸのコマ画像ソースＩＤ領域９０に記録されているとともに読み取り認識部３５で認識されたコマ画像ソースＩＤに基づいて動作する画像データ抽出部３６ｂによってハードディスク２ｃから画像データがワーキングメモリ２０に転送されるが、いずれにしても前述したように、コマ画像と焼き増し枚数と画像データがリンクされるので、焼き増しプリント作業は確実にかつ容易に行うことができる。
【産業上の利用可能性】
【００４０】
ＤＰショップ等に設置された写真プリント装置における焼き増しプリント処理において、インデックスプリントを焼き増し注文票として利用する際、焼き付け枚数記入欄付きインデックスプリントが幾種類もの形態で存在していても、読み込みパターンを通じて焼き増し注文に必要な情報を認識する領域を設定することで、自動的に焼き増し枚数と撮影画像を特定するコマ番号とが関係付けられ、操作画面上で表示されるので、焼き増しプリント作業は簡単化される。
【図面の簡単な説明】
【００４１】
【図１】本発明による焼き増しプリント処理システムを採用した写真プリント装置の外観図
【図２】写真プリント装置のプリントステーションの概略的内部構造を示す模式図
【図３】焼き増し注文記入領域を有する２つのタイプ（図３（イ）と図３（ロ））のインデックスプリントを示す平面図
【図４】写真プリント装置のコントローラの主要構成を示す模式図
【図５】読み取りパターンを示すマスクデータの説明図
【図６】焼き増し注文記入領域と色補正記録領域を有するインデックスプリントを示す平面図
【図７】ＰＪＰ画面の一例を示すモニタ画面図
【図８】本発明による焼き増しプリント処理システムの処理手順を模式的に示す説明図
【図９】コマ番号と焼き増し枚数と画像データのリンク状態を示す説明図
【図１０】焼き増しプリント設定画面を示すモニタ画面図
【符号の説明】
【００４２】
３  コントローラ
２４  キーボード（操作入力部）
３１  操作画面生成部
３４  プリント管理部
３５  読み取り認識部
３６  焼き増し情報管理部
３６ａコマ番号−焼き増し枚数リンク部
３６ｂ画像データ抽出部
３６ｃコマ番号−色補正情報リンク部
３７読み取りパターンテーブル
９０コマ画像ソースＩＤ領域
９１撮影コマ画像領域
９２焼き増し枚数記入領域
９３色補正記録領域
【図１】
2005025125.tif 000003
【図２】
2005025125.tif 000004
【図３】
2005025125.tif 000005
【図４】
2005025125.tif 000006
【図５】
2005025125.tif 000007
【図６】
2005025125.tif 000008
【図７】
2005025125.tif 000009
【図８】
2005025125.tif 000010
【図９】
2005025125.tif 000011
【図１０】
2005025125.tif 000012